【事件の表示】
　特願２０１６−１８８３６８号「遊技機」拒絶査定不服審判事件〔平成３０年４月５日出願公開、特開２０１８−　５０７６６号〕について、次のとおり審決する。
【結　論】
　本件審判の請求は、成り立たない。
【理　由】
第１　手続の経緯
　本願は、平成２８年９月２７日に出願された特願２０１６−１８８３６８号であって、平成２９年３月１日付けで拒絶の理由が通知され、同年４月２４日に意見書及び手続補正書が提出され、同年５月１９日付けで拒絶の理由（最後）が通知され、同年７月１４日に意見書及び手続補正書が提出されたところ、同年９月１３日付けで前記平成２９年７月１４日付け手続補正が却下されるとともに、同日付け（発送日：平成２９年９月２７日）で拒絶査定がなされ、これに対し、同年１２月２６日に拒絶査定不服審判請求がなされるとともに、同時に手続補正がなされたものである。
　
第２　平成２９年１２月２６日付けの手続補正についての補正却下の決定
［補正却下の決定の結論］
　平成２９年１２月２６日付けの手続補正（以下「本件補正」という。）を却下する。
　
［理由］
１　補正の内容
　本件補正は、特許請求の範囲を補正する内容を含んでおり、本件補正により、特許請求の範囲の請求項１は、
「【請求項１】
　遊技球が流下可能な遊技領域を前面に有する遊技盤と、
　発射装置から発射された遊技球を前記遊技領域へと案内する案内路と、
　遊技球が衝突することでその遊技球の流下方向を変更可能な樹脂突部と、を備え、
　前記樹脂突部には、前記遊技領域内の遊技球が前記案内路へ逆戻りすることを抑制する球戻り抑制部が設けられ、
　前記樹脂突部として、少なくとも、第１樹脂突部と、前記第１樹脂突部よりも前記案内路の出口に近い側に配される第２樹脂突部と、を有し、
　前記第２樹脂突部のうち前記第１樹脂突部側を向く部分には、前記第１樹脂突部へ近づくに従って下るように傾斜する第１傾斜面が形成され、
　前記球戻り抑制部は、少なくとも前記第２樹脂突部に設けられて、前記第１傾斜面の上端部から突出し、
　前記第１樹脂突部のうち前記第２樹脂突部側を向く部分には、鉛直方向に沿って延びる第１鉛直面が形成されていることを特徴とする遊技機。」（平成２９年４月２４日付けの手続補正）
から、
「【請求項１】
　遊技球が流下可能な遊技領域を前面に有する遊技盤と、
　発射装置から発射された遊技球を前記遊技領域へと案内する案内路と、
　遊技球が衝突することでその遊技球の流下方向を変更可能な樹脂突部と、を備え、
　前記樹脂突部には、前記遊技領域内の遊技球が前記案内路へ逆戻りすることを抑制する球戻り抑制部が設けられ、
　前記樹脂突部として、少なくとも、第１樹脂突部と、前記第１樹脂突部よりも前記案内路の出口に近い側に配される第２樹脂突部と、を有し、
　前記第２樹脂突部のうち前記第１樹脂突部側を向く部分には、前記第１樹脂突部へ近づくに従って下るように傾斜する第１傾斜面が形成され、
　前記球戻り抑制部は、少なくとも前記第２樹脂突部に設けられて、前記第１傾斜面の上端部から突出
すると共に、その上側に遊技球が２個同時に通過できないスペースを形成
　前記第１樹脂突部のうち前記第２樹脂突部側を向く部分には、鉛直方向に沿って延びる第１鉛直面が形成され
、
　
前記球戻り抑制部は、前記第１樹脂突部側を向く面として、前記第１傾斜面とは異なる角度で傾斜する傾斜面を有し、
　
前記球戻り抑制部の前記第１傾斜面からの突出方向は、前記案内路の出口から発射された遊技球の発射方向と異なる方向へ向かうように構成され
に補正された（下線は、補正箇所を明示するために審決にて付した。）。
　
２　補正の適否について
　上記補正は、補正前の請求項１に記載した発明を特定するために必要な事項である「球戻り抑制部」に関して、「その上側に遊技球が２個同時に通過できないスペースを形成し」、「前記第１樹脂突部側を向く面として、前記第１傾斜面とは異なる角度で傾斜する傾斜面を有し」、及び、「前記第１傾斜面からの突出方向は、前記案内路の出口から発射された遊技球の発射方向と異なる方向へ向かうように構成されている」と限定するものであり、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、願書に最初に添付した明細書の段落【００２１】、【００４４】等の記載、及び、図９ないし１１等の記載からみて、新規事項を追加するものでないから、特許法第１７条の２第３項に規定する要件を満たす。
　
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
（１）引用文献及び引用発明
ア　引用文献１
　原査定の拒絶の理由に引用文献１として引用された特開２０１６−５４９５２号公報（以下「引用文献１」という。）には、図面とともに以下の事項が記載されている。
（ア）「【技術分野】
【０００１】
　本発明は、パチンコ機、アレンジボール機等の
遊技機
　
（イ）「【００１３】
　以下、本発明の第１の実施形態を図面に基づいて詳述する。
【００１４】
　図１〜図１３は本発明をパチンコ機に採用した第１の実施形態を例示する。パチンコ機は、図１、図２に示すように
矩形状の外枠１と、この外枠１の前側にヒンジ２により縦軸廻りに開閉自在に枢着された前枠３とを備え
【００１５】
　前枠３は上部側に遊技盤装着部３ａを有し、その遊技盤装着部３ａに遊技盤４が前側又は後側から着脱自在に装着されている。また、
前枠３の前側には、遊技盤４の前側に対応する第１前扉５と、この第１前扉５の下側に配置された第２前扉６とが、
開閉自在に枢支され
【００１６】
　
第２前扉６の前側には発射用の遊技球を貯留する球供給皿８が配置され、その側方に遊技球を発射する発射手段の発射ハンドル９が設けられ
【００１８】
　
遊技盤４の前面には、
発射手段から発射された遊技球を案内するガイドレール１５と、略円弧状の内周面を有する外飾り部材１６とが周方向に装着され、そのガイドレール１５と外飾り部材１６との内側が略円形状の遊技領域１１となってい
ガイドレール１５は内レール１７と外レール１８とを有
【００２１】
　前構造体２３は遊技領域１１の左右方向の略中央で開口部３７に対応して遊技盤４の前側に配置されている。この前構造体２３の左右両側の遊技領域１１には、図３に示すように、前構造体２３と左側のガイドレール１５との間に左側通路３８が、前構造体２３と右側の外飾り部材１６との間に右側通路３９が夫々形成されており、
遊技領域１１の上部に打ち込まれた遊技球が、その左側通路３８、右側通路３９の何れかを経て落下した後、前構造体２３の下側の遊技領域１１で合流するようになってい
【００２５】
　なお、支持枠４０、前部材４１は光透過性を有する透明、半透明の合成樹脂材料により成型され、必要に応じてメッキ、シール材等の遮光手段により装飾部、遮光部が設けられている。また、台板４３は外周部が遊技盤４の前面に当接する等、その一部が遊技盤４の前面に当接すればよいし、略全周が遊技盤４の前面に当接してもよい。また、補強壁部４５は台板４３に周方向の全周に設けてもよいし、その一部に設けてもよい。」
　
（ウ）「【００４０】
　左側通路３８は、図３、図４、図９に示すように、
ガイドレール１５の内レール１７の上端部の上下近傍に対応する打ち込み領域６０と、この打ち込み領域６０の下側に配置された減速領域６１と、この減速領域６１の下側で多数の遊技釘が設けられた釘打ち領域６２とを有
【００４１】
　台板４３は、図４〜図９に示すように、打ち込み領域６０及び減速領域６１では支持枠４０の前周壁部４４から内レール１７の近傍、及び内レール１７の延長線上の近傍まで張り出している。この
打ち込み領域６０及び減速領域６１の台板４３は、遊技盤４の前面に装着された通路板３８Ａを構成し、その打ち込み領域６０及び減速領域６１の通路板３８Ａに、前側へと突出する障害突起（遊技部品）６３、内外通路壁６４，６５が一体的に設けられ
【００４４】
　
障害突起６３は、ガイドレール１５から遊技領域１１に打ち込まれた遊技球を衝突させて衝撃を緩和し、又は遊技球の落下方向に変化を与え
前側が閉塞され裏側に開口する角柱状、その他の適宜形状の中空状に構成され、内レール１７の戻り防止具２０よりも上側で打ち込み領域６０に外レール１８の円弧方向に所定の間隔をおいて複数個（２個）設けられ
【００４５】
　
各障害突起６３は上当接板部６６から突出する周壁部６３ａと、この周壁部６３ａの前端側を塞ぐ前壁部（支持壁）６３ｂとを一体に有する中空の角柱状であり、
周壁部６３ａの先端側が遊技球の衝突可能な衝突部６３ｃとなってい
【００４６】
　なお、周壁部６３ａの基部には、台板４３と上当接板部６６との間を補強する肉盛り状の補強部６３ｄが略全周に形成されており、その補強部６３ｄの外周面は遊技球の半径Ｒ未満で滑らかに変化する円弧状に形成されている。
【００４７】
　従って、遊技球が障害突起６３の周壁部６３ａに直接衝突する場合にはその前後方向の略中央又はそれよりも前側に衝突し、またガラス板１３に接触した状態で衝突する場合にも、その遊技球の重心位置側が周壁部６３ａ上に略位置するように衝突する。また、遊技球が周壁部６３ａに衝突する衝突部６３ｃの直下に前壁部６３ｂがあるか、又は衝突部６３ｃの近傍に前壁部６３ｂがあるため、遊技球の衝撃による周壁部６３ａの損傷を極力少なくすることができる。
【００４８】
　支持枠４０の打ち込み領域６０に対応する前周壁部４４は、図４に示すように、各障害突起６３との間に遊技球が通過し得る間隔をおいて凹部４４ａと凸部４４ｂとが上側から下側へと交互に形成されると共に、その下側に戻り防止具２０と対向する傾斜部４４ｃが設けられ、凹部４４ａ、凸部４４ｂ、傾斜部４４ｃを経由しながら遊技球が減速領域６１へと斜め下方に落下するようになっている。・・・
【００６９】
　左打ち時に左側通路３８の打ち込み領域６０に打ち込まれた遊技球は、２個の障害突起６３の一方又は両方に衝突するか、障害突起６３に衝突せずに前構造体２３の打ち込み領域６０側の前周壁部４４に衝突した後、落下方向を適宜変えながら打ち込み領域６０の下側を経て減速領域６１へと移動する。」
　
（エ）図４、５、１７は次のものである。
【図４】
【図５】
　
（オ）図４の２つの障害突起６３について
ａ　図４の２つの障害突起６３に関して、各箇所を以下のように呼ぶこととする。
（ａ）図４の２つの障害突起６３のうち、図面視左側の障害突起６３を以下「左側障害突起６３」と呼ぶとともに、図面視右側の障害突起６３を以下「右側障害突起６３」と呼ぶ。
（ｂ）「左側障害突起６３」のガイドレール１５側を向いた周壁部６３ａの「右側障害突起６３」側にある凸状の部分を以下「左側障害突起６３の凸部」と呼ぶ。
（ｃ）「右側障害突起６３」の左下側の「左側障害突起６３」側を向いた周壁部６３ａを以下「右側障害突起６３の左下側周壁部６３ａ」と呼ぶとともに、「左側障害突起６３」の「左側障害突起６３の凸部」の右下に続く「右側障害突起６３」側を向いた周壁部６３ａを以下「左側障害突起６３の凸部の右下側周壁部６３ａ」と呼ぶ。
　
ｂ　そうすると、図４の２つの障害突起６３付近は次の図のとおりとなる（以下「図４´」という。）
【図４´】
　
ｃ　上記（ウ）の記載を踏まえて、上記（エ）の図４を見ると、「左側障害突起６３の凸部」は、その形状から見て、ガイドレール１５から右側障害突起６３付近に落下した遊技球が、「左側障害突起６３の凸部」の右側から「左側障害突起６３の凸部」に衝突した際に、遊技領域１１内の遊技球がガイドレール１５側へ逆戻りすることを抑制することは明らかであるから、遊技領域１１内の遊技球がガイドレール１５へ逆戻りすることを抑制する球戻り抑制部であると認められる。
　そうすると、上記（ア）ないし（ウ）の記載を踏まえて、上記（エ）の図４（図４´）を見ると、次のことが見てとれる。
（ａ）障害突起６３として、「右側障害突起６３」と、前記「右側障害突起６３」よりも前記戻り防止具２０に近い側に配される「左側障害突起６３」とを有すること。
（ｂ）「左側障害突起６３」には、「遊技領域１１内の遊技球がガイドレール１５へ逆戻りすることを抑制する球戻り抑制部である左側障害突起６３の凸部」が設けられること。
（ｃ）「左側障害突起６３」のうち「右側障害突起６３」側を向く部分には、傾斜する「左側障害突起６３の凸部の右下側周壁部６３ａ」が形成されること。
（ｄ）「左側障害突起６３の凸部」は、「左側障害突起６３」に設けられて、「左側障害突起６３の凸部の右下側周壁部６３ａ」の上端部から突出すること。
（ｅ）「右側障害突起６３」のうち「左側障害突起６３」側を向く部分には、「右側障害突起６３の左下側周壁部６３ａ」が形成されること。
（ｆ）「左側障害突起６３の凸部」は、「右側障害突起６３側」を向く面として、「左側障害突起６３の凸部の右下側周壁部６３ａ」とは異なる角度で傾斜する傾斜面を有すること。
（ｇ）「左側障害突起６３の凸部」の「左側障害突起６３の凸部の右下側周壁部６３ａ」からの突出方向は、戻り防止具２０から発射された遊技球の発射方向と異なる方向へ向かうように構成されていること。
　
（カ）上記（ア）ないし（ウ）の記載と上記（オ）の検討を踏まえて、上記（エ）の図４、５、１７を見ると、「左側障害突起６３の凸部」の上側とガイドレール１５の外レール１８との間には、図面上、遊技球約２個分のスペースがあることが見てとれる。
　
（キ）「
台板４３は、
支持枠４０の前周壁部４４から
張り出している
台板４３は、
通路板３８Ａを構成し、その
通路板３８Ａに、
障害突起（遊技部品）６３
が一体的に設けられている
支持枠４０
は
合成樹脂材料により成型され、
　したがって、引用文献１には、「障害突起６３」は、合成樹脂材料により成型されたものであることが記載されている。
　
（ク）引用発明
　上記（ア）ないし（キ）の記載事項を総合すると、引用文献１には、次の発明が記載されていると認められる（以下「引用発明」という。）。
「矩形状の外枠１と、この外枠１の前側にヒンジ２により縦軸廻りに開閉自在に枢着された前枠３とを備え、
　前記前枠３の前側には、遊技盤４の前側に対応する第１前扉５と、この第１前扉５の下側に配置された第２前扉６とが、開閉自在に枢支され、
　前記第２前扉６の前側には発射用の遊技球を貯留する球供給皿８が配置され、その側方に遊技球を発射する発射手段の発射ハンドル９が設けられ、
　前記遊技盤４の前面には、発射手段から発射された遊技球を案内するガイドレール１５と、略円弧状の内周面を有する外飾り部材１６とが周方向に装着され、そのガイドレール１５と外飾り部材１６との内側が略円形状の遊技領域１１となっているとともに、ガイドレール１５は内レール１７と外レール１８とを有し、
　前記遊技領域１１の上部に打ち込まれた遊技球が、その左側通路３８、右側通路３９の何れかを経て落下した後、前構造体２３の下側の遊技領域１１で合流するようになっていて、
　前記ガイドレール１５の内レール１７の上端部の上下近傍に対応する打ち込み領域６０と、この打ち込み領域６０の下側に配置された減速領域６１と、この減速領域６１の下側で多数の遊技釘が設けられた釘打ち領域６２とを有し、
　前記打ち込み領域６０及び減速領域６１の台板４３は、遊技盤４の前面に装着された通路板３８Ａを構成し、その打ち込み領域６０及び減速領域６１の通路板３８Ａに、前側へと突出する障害突起（遊技部品）６３、内外通路壁６４，６５が一体的に設けられ、
　前記障害突起６３は、ガイドレール１５から遊技領域１１に打ち込まれた遊技球を衝突させて衝撃を緩和し、又は遊技球の落下方向に変化を与え、前側が閉塞され裏側に開口する角柱状、その他の適宜形状の中空状に構成され、内レール１７の戻り防止具２０よりも上側で打ち込み領域６０に外レール１８の円弧方向に所定の間隔をおいて複数個（２個）設けられ、
　前記各障害突起６３は上当接板部６６から突出する周壁部６３ａと、この周壁部６３ａの前端側を塞ぐ前壁部（支持壁）６３ｂとを一体に有する中空の角柱状であり、周壁部６３ａの先端側が遊技球の衝突可能な衝突部６３ｃとなっていて、
　前記障害突起（遊技部品）６３は合成樹脂材料により成型され、
　前記障害突起６３として、右側障害突起６３と、前記右側障害突起６３よりも前記戻り防止具２０に近い側に配される左側障害突起６３とを有し、
　前記左側障害突起６３には、遊技領域１１内の遊技球がガイドレール１５へ逆戻りすることを抑制する球戻り抑制部である左側障害突起６３の凸部が設けられ、
　前記左側障害突起６３のうち右側障害突起６３側を向く部分には、傾斜する左側障害突起６３の凸部の右下側周壁部６３ａが形成され、
　前記左側障害突起６３の凸部は、左側障害突起６３に設けられて、左側障害突起６３の凸部の右下側周壁部６３ａの上端部から突出し、
　前記左側障害突起６３の凸部の上側とガイドレール１５の外レール１８との間には、遊技球約２個分のスペースがあり、
　前記右側障害突起６３のうち左側障害突起６３側を向く部分には、右側障害突起６３の左下側周壁部６３ａが形成され、
　前記左側障害突起６３の凸部は、右側障害突起６３側を向く面として、左側障害突起６３の凸部の右下側周壁部６３ａとは異なる角度で傾斜する傾斜面を有し、
　前記左側障害突起６３の凸部の左側障害突起６３の凸部の右下側周壁部６３ａからの突出方向は、戻り防止具２０から発射された遊技球の発射方向と異なる方向へ向かうように構成されている、遊技機。」
　
イ　引用文献２
　原査定の拒絶の理由に引用文献２として引用された特開２００８−１６１４６７号公報（以下「引用文献２」という。）には、図面とともに以下の事項が記載されている。
（ア）「【技術分野】
【０００１】
　本発明は、遊技球を遊技領域内で流下させて遊技を行う弾球遊技機に関する。」
　
（イ）「【００６７】
　ベース板５４には、第１〜第３の樹脂製障害突部５１〜５３が一体形成されている。これら第１〜第３の樹脂製障害突部５１〜５３はベース板５４から前方に突出し、図８に示すように、ガイドレール１２における円弧形案内部１２Ｅに沿って並べられている。そして、第１の樹脂製障害突部５１が最も右側かつ上方に位置し、その斜め左下に第２の樹脂製障害突部５２が位置し、さらに、その斜め左下に第３の樹脂製障害突部５３が位置している。また、各樹脂製障害突部５１〜５３は、共にベース板５４から前方に起立した角筒状の筒壁（図４の符号５１Ｔ参照）の先端を天井壁（図４の符号５１Ｓ参照）で塞いだ構造になっている。
【００６８】
　第１〜第３の樹脂製障害突部５１〜５３と円弧形案内部１２Ｅとの間は、球進入口１２Ｋから遊技領域Ｒ１内に進入した遊技球が円弧形案内部１２Ｅに沿って移動するための遊技球通過路Ｒ２になっている。そして、この遊技球通過路Ｒ２を間に挟んで第１〜第３の樹脂製障害突部５１〜５３と円弧形案内部１２Ｅとが対峙しており、それら第１〜第３の樹脂製障害突部５１〜５３と円弧形案内部１２Ｅとの間からは、従来は存在していた障害壁１１Ｎが排除されている。・・・
【００７０】
　第１の樹脂製障害突部５１は、前方から見ると全体が略三角形になっており、その略三角形の一角部を面取りして、本発明に係る第１受球面５１Ａが形成されている。第１受球面５１Ａは、水平方向かつ球進入口１２Ｋ側を向いた平面になっている。この第１受球面５１Ａは、遊技者が、遊技領域Ｒ１内に進入した遊技球を直接衝突させるための、所謂、「ぶっ込み位置」に相当する。また、第１の樹脂製障害突部５１のうち第１受球面５１Ａの下方には、第１反射面５１Ｂが形成されている。第１反射面５１Ｂは、第１受球面５１Ａの下端部から右斜め下方に向かって僅かに傾斜している。
【００７１】
　第２の樹脂製障害突部５２は、前方から見ると全体が４辺の長さが異なった略四角形になっており、その一辺に相当する部分が、右斜め上方の第１の樹脂製障害突部５１側を向いた第２受球面５２Ａになっている。そして、図９に示すように、球進入口１２Ｋから放物線を描いて第１受球面５１Ａに衝突した遊技球が第２の樹脂製障害突部５２に向かって跳ね返ったときに、その遊技球を第２受球面５２Ａが受け止めて、第１の樹脂製障害突部５１側に跳ね返す。また、
第２受球面５２Ａは、第１受球面５１Ａとの間の開き角度が９０度以下になるように傾斜している。そして、第２受球面５２Ａと第１反射面５１Ｂとの間は、下方に向かうに従って徐々に接近しており
【００７５】
　
第１受球面５１Ａに衝突した遊技球の一部は、
第２の樹脂製障害突部５２の第２受球面５２Ａに向かって跳ね返り、そこで再び第１の樹脂製障害突部５１に跳ね返され、さらに、その遊技球が第１の樹脂製障害突部５１の第１反射面５１Ｂで第２受球面５２Ａ側に跳ね返され
第１反射面５１Ｂと第２受球面５２Ａとの間隔は、下方に向かうに従って徐々に狭くなっているので、遊技球が第１と第２の樹脂製障害突部５１，５２の間を下方に向かうに従って往復頻度が高まり効率良く遊技球の勢いが抑えられ
樹脂製表示枠４０の枠内進入規制壁４０Ｂ上へと流下する
　
（ウ）図９は次のものである。
【図９】
　
（エ）上記（ア）ないし（ウ）によれば、引用文献２には次の事項（以下「引用文献２に記載の事項」という。）が記載されている。
「弾球遊技機において、第１受球面５１Ａに衝突した遊技球の一部は、第２の樹脂製障害突部５２の第２受球面５２Ａに向かって跳ね返り、そこで再び第１の樹脂製障害突部５１に跳ね返され、さらに、その遊技球が第１の樹脂製障害突部５１の第１反射面５１Ｂで第２受球面５２Ａ側に跳ね返され、第１反射面５１Ｂと第２受球面５２Ａとの間隔は、下方に向かうに従って徐々に狭くなっているので、遊技球が第１と第２の樹脂製障害突部５１，５２の間を下方に向かうに従って往復頻度が高まり効率良く遊技球の勢いが抑えられ、樹脂製表示枠４０の枠内進入規制壁４０Ｂ上へと流下する点。」
　
（２）対比
　本願補正発明と引用発明とを対比する。
ア　引用発明の「矩形状の外枠１と、この外枠１の前側にヒンジ２により縦軸廻りに開閉自在に枢着された前枠３とを備え、前記前枠３の前側には、遊技盤４の前側に対応する第１前扉５と、この第１前扉５の下側に配置された第２前扉６とが、開閉自在に枢支され」、「前記遊技領域１１の上部に打ち込まれた遊技球が、その左側通路３８、右側通路３９の何れかを経て落下した後、前構造体２３の下側の遊技領域１１で合流するようになってい」る「遊技盤４」は、遊技球が落下する遊技領域１１を前側に備えるから、本願補正発明の「遊技球が流下可能な遊技領域を前面に有する遊技盤」に相当する。
　
イ　引用発明の「前記第２前扉６の前側には発射用の遊技球を貯留する球供給皿８が配置され、その側方に遊技球を発射する発射手段の発射ハンドル９が設けられ、前記遊技盤４の前面には、発射手段から発射された遊技球を案内するガイドレール１５と、略円弧状の内周面を有する外飾り部材１６とが周方向に装着され、そのガイドレール１５と外飾り部材１６との内側が略円形状の遊技領域１１となっているとともに、ガイドレール１５は内レール１７と外レール１８とを有し」ている「ガイドレール１５」は、発射手段から発射された遊技球を遊技領域１１へと案内するから、本願補正発明の「発射装置から発射された遊技球を前記遊技領域へと案内する案内路」に相当する。
　
ウ　引用発明の「ガイドレール１５から遊技領域１１に打ち込まれた遊技球を衝突させて衝撃を緩和し、又は遊技球の落下方向に変化を与え」る「合成樹脂材料により成型され」た「障害突起６３」は、本願補正発明の「遊技球が衝突することでその遊技球の流下方向を変更可能な樹脂突部」に相当する。
　
エ　引用発明の「合成樹脂材料により成型され」た「左側障害突起６３」に、「遊技領域１１内の遊技球がガイドレール１５へ逆戻りすることを抑制する球戻り抑制部である左側障害突起６３の凸部」が設けられることは、本願補正発明の「前記樹脂突部には、前記遊技領域内の遊技球が前記案内路へ逆戻りすることを抑制する球戻り抑制部が設けられ」ることに相当する。
　
オ　引用発明の「合成樹脂材料により成型され」た「前記障害突起６３として、右側障害突起６３と、前記右側障害突起６３よりも前記戻り防止具２０に近い側に配される左側障害突起６３とを有し」ていることは、引用発明の戻り防止具２０の配される位置が本願補正発明の案内路の出口に対応するから、本願補正発明の「前記樹脂突部として、少なくとも、第１樹脂突部と、前記第１樹脂突部よりも前記案内路の出口に近い側に配される第２樹脂突部と、を有し」ていることに相当する。
　
カ　引用発明の「合成樹脂材料により成型され」た「前記左側障害突起６３のうち右側障害突起６３側を向く部分には、傾斜する左側障害突起６３の凸部の右下側周壁部６３ａが形成され」ることは、本願補正発明の「前記第２樹脂突部のうち前記第１樹脂突部側を向く部分には、前記第１樹脂突部へ近づくに従って下るように傾斜する第１傾斜面が形成され」ることと、「前記第２樹脂突部のうち前記第１樹脂突部側を向く部分には、傾斜する第１傾斜面が形成され」る点で一致する。
　
キ　引用発明の「合成樹脂材料により成型され」た「前記左側障害突起６３の凸部は、左側障害突起６３に設けられて、左側障害突起６３の凸部の右下側周壁部６３ａの上端部から突出し、前記左側障害突起６３の凸部の上側とガイドレール１５の外レール１８との間には、遊技球約２個分のスペースがあ」ることは本願補正発明の「前記球戻り抑制部は、少なくとも前記第２樹脂突部に設けられて、前記第１傾斜面の上端部から突出すると共に、その上側に遊技球が２個同時に通過できないスペースを形成し」ていることと、「前記球戻り抑制部は、前記第２樹脂突部に設けられて、前記第１傾斜面の上端部から突出すると共に、その上側に遊技球約２個分のスペースを形成し」ている点で一致する。
　
ク　引用発明の「前記右側障害突起６３のうち左側障害突起６３側を向く部分には、右側障害突起６３の左下側周壁部６３ａが形成され」ることは、本願補正発明の「前記第１樹脂突部のうち前記第２樹脂突部側を向く部分には、鉛直方向に沿って延びる第１鉛直面が形成され」ることと、「前記第１樹脂突部のうち前記第２樹脂突部側を向く部分には、第１面が形成され」る点で一致する。
　
ケ　引用発明の「合成樹脂材料により成型され」た「前記左側障害突起６３の凸部は、右側障害突起６３側を向く面として、左側障害突起６３の凸部の右下側周壁部６３ａとは異なる角度で傾斜する傾斜面を有し」ていることは、本願補正発明の「前記球戻り抑制部は、前記第１樹脂突部側を向く面として、前記第１傾斜面とは異なる角度で傾斜する傾斜面を有し」ていることに相当する。
　
コ　引用発明の「合成樹脂材料により成型され」た「前記左側障害突起６３の凸部の左側障害突起６３の凸部の右下側周壁部６３ａからの突出方向は、戻り防止具２０から発射された遊技球の発射方向と異なる方向へ向かうように構成されている」ことは、本願補正発明の「前記球戻り抑制部は、前記第１樹脂突部側を向く面として、前記第１傾斜面とは異なる角度で傾斜する傾斜面を有し」ていることは、本願補正発明の「前記球戻り抑制部の前記第１傾斜面からの突出方向は、前記案内路の出口から発射された遊技球の発射方向と異なる方向へ向かうように構成されていること」に相当する。
　
サ　引用発明の「遊技機」は、本願補正発明の「遊技機」に相当する。
　
シ　したがって、本願補正発明と引用発明とは、
「遊技球が流下可能な遊技領域を前面に有する遊技盤と、
　発射装置から発射された遊技球を前記遊技領域へと案内する案内路と、
　遊技球が衝突することでその遊技球の流下方向を変更可能な樹脂突部と、を備え、
　前記樹脂突部には、前記遊技領域内の遊技球が前記案内路へ逆戻りすることを抑制する球戻り抑制部が設けられ、
　前記樹脂突部として、少なくとも、第１樹脂突部と、前記第１樹脂突部よりも前記案内路の出口に近い側に配される第２樹脂突部と、を有し、
　前記第２樹脂突部のうち前記第１樹脂突部側を向く部分には、傾斜する第１傾斜面が形成され、
　前記球戻り抑制部は、前記第２樹脂突部に設けられて、前記第１傾斜面の上端部から突出すると共に、その上側に遊技球約２個分のスペースを形成し、
　前記第１樹脂突部のうち前記第２樹脂突部側を向く部分には、第１面が形成され
　前記球戻り抑制部は、前記第１樹脂突部側を向く面として、前記第１傾斜面とは異なる角度で傾斜する傾斜面を有し、
　前記球戻り抑制部の前記第１傾斜面からの突出方向は、前記案内路の出口から発射された遊技球の発射方向と異なる方向へ向かうように構成されている遊技機。」
である点で一致し、以下の点で相違する。
　
（ア）「第１傾斜面」の「傾斜」が、本願補正発明では「第１樹脂突部へ近づくに従って下るように傾斜する」と特定されるとともに、「第１面」が、本願補正発明では「鉛直方向に沿って延びる第１鉛直面」と特定されるのに対し、引用発明では、「左側障害突起６３の凸部の右下側周壁部６３ａ」の傾斜がこのように特定されず、また、「右側障害突起６３の左下側周壁部６３ａ」がこのように特定されない点（以下「相違点１」という。）。
　
（イ）「球戻り抑制部」の上側に形成される「スペース」が、本願補正発明では「遊技球が２個同時に通過できない」と特定されるのに対し、引用発明は遊技球約２個分である点（以下「相違点２」という。）。
　
（３）判断
ア　上記相違点１について検討する。
　引用発明の遊技機の「左側障害突起６３」及び「右側障害突起６３」は、「２個の障害突起６３の一方又は両方に衝突するか、障害突起６３に衝突せずに前構造体２３の打ち込み領域６０側の前周壁部４４に衝突した後、落下方向を適宜変えながら打ち込み領域６０の下側を経て減速領域６１へと移動する」（上記「（１）」「ア」「（ウ）」段落「【００６９】」）ように遊技球を減速しつつ落下するためのものである。
　ここで、弾球遊技機において、「２個の障害突起６３の」「両方に衝突」「した後、落下方向を適宜変えながら打ち込み領域６０の下側を経て減速領域６１へと移動する」構成として、「第１受球面５１Ａに衝突した遊技球の一部は、第２の樹脂製障害突部５２の第２受球面５２Ａに向かって跳ね返り、そこで再び第１の樹脂製障害突部５１に跳ね返され、さらに、その遊技球が第１の樹脂製障害突部５１の第１反射面５１Ｂで第２受球面５２Ａ側に跳ね返され、第１反射面５１Ｂと第２受球面５２Ａとの間隔は、下方に向かうに従って徐々に狭くなっているので、遊技球が第１と第２の樹脂製障害突部５１，５２の間を下方に向かうに従って往復頻度が高まり効率良く遊技球の勢いが抑えられ、樹脂製表示枠４０の枠内進入規制壁４０Ｂ上へと流下する点。」（引用文献２に記載の事項）が公知である。
　したがって、引用発明の遊技機の「左側障害突起６３」及び「右側障害突起６３」と引用文献２に記載の事項の「第２の樹脂製障害突部５２」及び「第１の樹脂製障害突部５１」とは遊技領域１１（遊技領域Ｒ１）へ打ち込まれた遊技球を減速させるという共通の作用を奏するものである。
　そうすると、引用発明における、遊技領域１１へ打ち込まれた遊技球を減速するための構成として、引用文献２に記載の事項の「第１反射面５１Ｂと第２受球面５２Ａとの間隔は、下方に向かうに従って徐々に狭くなっている」構成を採用して、引用発明の「左側障害突起６３の凸部の右下側周壁部６３ａ」の「傾斜」を「左側障害突起６３の凸部の右下側周壁部６３ａ」と「右側障害突起６３の左下側周壁部６３ａ」との間隔を、「下方に向かうに従って徐々に狭く」するとともに、当該「下方に向かうに従って徐々に狭く」するために、「（右下方向へ）傾斜する左側障害突起６３の凸部の右下側周壁部６３ａ」に対する「右側障害突起６３の左下側周壁部６３ａ」の傾斜を鉛直となすことは当業者が容易になし得ることである。
　そして、その際に、「右側障害突起６３の左下側周壁部６３ａ」の角度をどのようにするかは設計的事項であるところ、引用発明の「障害突起６３」は、「前記障害突起６３は、ガイドレール１５から遊技領域１１に打ち込まれた遊技球を衝突させて衝撃を緩和し、又は遊技球の落下方向に変化を与え、前側が閉塞され裏側に開口する角柱状、その他の適宜形状の中空状に構成され、内レール１７の戻り防止具２０よりも上側で打ち込み領域６０に外レール１８の円弧方向に所定の間隔をおいて複数個（２個）設けられ」るものであるから、「右側障害突起６３の左下側周壁部６３ａ」の角度を、「遊技球を衝突させて衝撃を緩和し、又は遊技球の落下方向に変化を与え」る範囲で「適宜」の角度とすればよく、これを略垂直とすることに格別の技術的困難性はない。
　したがって、引用発明において、「右側障害突起６３の左下側周壁部６３ａ」の角度を略垂直とするとともに、「左側障害突起６３の凸部の右下側周壁部６３ａ」と「右側障害突起６３の左下側周壁部６３ａ」の傾斜の関係を下方に向かうに従って徐々に狭くなっているものとなすことで、上記相違点１に係る本願補正発明の構成となすことは当業者が容易になし得ることである。
　
イ　上記相違点２について検討する。
　引用発明の「左側障害突起６３の凸部」の上側に形成されるガイドレール１５の外レール１８と間のスペースは遊技球約２個分であるところ、「障害突起６３は、ガイドレール１５から遊技領域１１に打ち込まれた遊技球を衝突させて衝撃を緩和し、又は遊技球の落下方向に変化を与えるため」「内レール１７の戻り防止具２０よりも上側で打ち込み領域６０に外レール１８の円弧方向に所定の間隔をおいて複数個（２個）設けられ」るものである。
　したがって、引用発明の「左側障害突起６３の凸部」の上側に形成されるガイドレール１５の外レール１８と間のスペースは遊技球約２個分前後の範疇で適宜の間隔とすればよく、当該間隔を遊技球が２個同時に通過できない間隔（スペース）とすることに格別の技術的困難性はない。
　
（４）本願補正発明が奏する効果について
　上記相違点１及び２によって本願補正発明が奏する効果は、当業者が引用発明及び引用文献２に記載の事項から予測し得る程度のものであって、格別のものではない。
　
（５）請求人の主張について
ア　請求人は、特に上記相違点２の補正の根拠に関して、審判請求書の「３．本願発明が特許されるべき理由」の「（１）補正の説明及び根拠」において、「図９において、第２樹脂突部４２の上端突起４２Ｔとガイドレール１２の円弧状案内部１２Ｅとの間の間隔が、第１樹脂突部４１と縦壁３３との間に形成された第１流路Ｒ１の幅の約１．５倍であること、及び、明細書の段落［００４４］に、第１流路Ｒ１が遊技球１つずつ通過可能な幅であることが示されていること、を根拠にしています。」と主張している。
　そして、上記相違点２が奏する効果に関して、同「（２）本願発明の説明」において、「遊技領域へ打ち込まれた遊技球は案内路に沿って移動することが多く、遊技球の移動軌跡のバラつきが小さくなります。従って、球戻り抑制部の上側に遊技球が１個だけ通過可能なスペースがあれば、球戻り抑制部の上側を通るように遊技球を打ち込むことは容易となります。一方、遊技領域から案内路側へ戻ろうとする遊技球は、その移動軌跡のバラつきが大きくなります。従って、球戻り抑制部の上側のスペースが狭ければ、遊技球の逆戻りが起こり難くなります。特に、本願発明の第１の特徴のように、球戻り抑制部の上側のスペースが、遊技球が２個同時に通過できない程度に狭ければ、案内路から打ち込まれる遊技球との衝突によって球戻りを抑制することが可能となります。」と主張している。
　さらに、上記相違点２に関して、同「（３）引用文献との対比」において、「引用文献１の発明では、第２樹脂突部の上側のスペース（同文献の図４において、鉛直方向での障害突起６３とガイドレール１５の間の間隔）は、同文献の図５及び図１７に示されている遊技球の大きさを考慮すれば、遊技球２個分以上になっていると考えられます。」とも主張している。
　
イ　しかしながら、「第１流路Ｒ１が遊技球１つずつ通過可能な幅であること」は、必ずしも「その上側に遊技球が２個同時に通過できないスペースを形成し」ていることを意味しない。
　また、図に関して、本願明細書では「以下、本発明をパチンコ遊技機に適用した一実施形態を図面に基づいて説明する。」（段落【００１６】）と記載するとおり、一実施形態を説明するにとどまり、図９、１０は第２樹脂突部４２の上端突起４２Ｔとガイドレール１２の円弧状案内部１２Ｅとの間の間隔を厳密に記載したものとまではいえず、また、たとえ、図９において第１樹脂突部４１と縦壁３３との間に形成された第１流路Ｒ１の幅の約１．５倍であっても、そのことが直ちに「その上側に遊技球が２個同時に通過できないスペースを形成し」ていることまでを意味しているとまではいえない。
　そして、「その上側に遊技球が２個同時に通過できないスペースを形成し」ていることの効果も本願明細書には記載されておらず、あくまで、「球戻り抑制部の上側のスペースが狭ければ、遊技球の逆戻りが起こり難くな」るという、当業者なら予測し得る程度の効果にすぎない。
　さらに、引用発明は、「左側障害突起６３の凸部の上側とガイドレール１５の外レール１８との間には、遊技球約２個分のスペースがあ」るものであって、請求人は、引用発明について、図面から「左側障害突起６３の凸部」とガイドレール１５の外レール１８との間隔が遊技球２個分以上になっていると主張するが、引用文献１は「左側障害突起６３の凸部」とガイドレール１５の外レール１８との間隔については、図４、５、１７の記載から見て、「左側障害突起６３の凸部」の上側とガイドレール１５の外レール１８との間に、図面上、遊技球約２個分のスペースがあることが見てとれるにとどまり、引用発明の「左側障害突起６３の凸部」とガイドレール１５の外レール１８との間隔が遊技球２個分以上になっていると考えるべき格別の理由も見当たらない。
　したがって、上記請求人の主張は採用できない。
　
（６）まとめ
　以上のように、本願補正発明は、当業者が引用発明及び引用文献２に記載の事項に基づいて容易に発明をすることができたものであるから、特許法第２９条第２項の規定により、特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１に係る発明（以下「本願発明」という。）は、上記「第２」［理由］「１　補正の内容」において、平成２９年４月２４日付けの手続補正書により補正された特許請求の範囲の請求項１として記載したとおりのものである。
　
２　拒絶の理由
　原査定の平成２９年５月１９日付けの拒絶理由の概要は、
「（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項　１
・引用文献等　１、２
・・・
　　　　　　　　　　　　　＜引用文献等一覧＞
１．特開２０１６−５４９５２号公報
２．特開２００８−１６１４６７号公報」
　というものである。
　
３　引用文献及び引用発明
　引用発明及び引用文献２に記載された事項は、上記「第２」［理由］「３」「（１）」に記載したとおりである。
　
４　対比・判断
　本願発明は、本願補正発明を特定するために必要な事項である「球戻り抑制部」に関して、「その上側に遊技球が２個同時に通過できないスペースを形成し」、「前記第１樹脂突部側を向く面として、前記第１傾斜面とは異なる角度で傾斜する傾斜面を有し」、及び、「前記第１傾斜面からの突出方向は、前記案内路の出口から発射された遊技球の発射方向と異なる方向へ向かうように構成されている」との限定を省くものである。
　そうすると、上記「第２」［理由］「３」「（２）」での検討を踏まえると、本願発明と引用発明とは、相違点１で相違し、その余の点で一致する。
　したがって、上記「第２」［理由］「３」「（３）」で検討した理由と同じ理由により、本願発明は、当業者が引用発明及び引用文献２に記載の事項に基づいて容易に発明をすることができたものである。
　
５　むすび
　以上のとおりであるから、本願発明は、特許法第２９条第２項の規定により特許を受けることができない。
　
　よって、結論のとおり審決する。